(57)【要約】【課題】鍵の後端部の上下方向の厚さがばらついている場合でも、離鍵状態においてハンマーが当接する鍵の後端部の上面高さを一定にすることができ、それにより、従来のキャプスタンスクリューの調整作業を不要とすることができる電子鍵盤楽器の鍵盤装置を提供する。【解決手段】各々が前後方向に延び、揺動自在に構成され、左右方向に並んだ状態に配置された木製の複数の鍵２と、鍵２の後ろ側に配置されたハンマーサポート４と、各々が前後方向に延び、後端部においてハンマーサポート４に上下方向に回動自在に支持され、下面から下方に突出した突出部５６が、鍵２の後端部に当接する複数のハンマー５と、複数の鍵２の各々の後端部に取り付けられ、離鍵状態において、対応するハンマー５の突出部５６が当接し、突出部５６の当接高さを所定高さに規定する合成樹脂製の複数のハンマー当接高さ規定部２５と、を備えている。【選択図】図２
2018155991.tif 000002
【特許請求の範囲】
【請求項１】
各々が前後方向に延び、前後方向の中央付近を支点として揺動自在に構成され、左右方向に並んだ状態に配置された木製の複数の鍵と、
これらの鍵の後ろ側に配置されたハンマーサポートと、
各々が前後方向に延び、後端部において前記ハンマーサポートに上下方向に回動自在に支持され、下面から下方に突出した突出部が、対応する前記鍵の後端部に当接する複数のハンマーと、
前記複数の鍵の各々の後端部に取り付けられ、離鍵状態において、対応する前記ハンマーの前記突出部が当接し、当該突出部の当接高さを所定高さに規定する合成樹脂製の複数のハンマー当接高さ規定部と、
を備えていることを特徴とする電子鍵盤楽器の鍵盤装置。
【請求項２】
前記複数の鍵に応じて、左右方向に延びるように配置され、離鍵状態において、前記複数のハンマー当接高さ規定部が同じ高さに載置される規定部載置部材を、さらに備えていることを特徴とする請求項１に記載の電子鍵盤楽器の鍵盤装置。
【請求項３】
前記ハンマー当接高さ規定部は、
前記鍵の上面に固定されるとともに、前記ハンマーの前記突出部が当接する上片と、
この上片の後端部に連なって下方に延び、前記鍵の後面に固定される後片と、
を有していることを特徴とする請求項２に記載の電子鍵盤楽器の鍵盤装置。
【請求項４】
前記ハンマー当接高さ規定部は、前記上片及び前記後片の側面に連なり、前記鍵の側面に密着する側壁を、さらに有していることを特徴とする請求項３に記載の電子鍵盤楽器の鍵盤装置。
【請求項５】
前記ハンマー当接高さ規定部は、前記後片の下端部から前方に延び、前記鍵の下面に当接する下片を、さらに有していることを特徴とする請求項３又は４に記載の電子鍵盤楽器の鍵盤装置。
【請求項６】
前記ハンマー当接高さ規定部は、前記上片及び前記後片がそれぞれ、固定金具を介して、前記鍵に固定されていることを特徴とする請求項３ないし５のいずれかに記載の電子鍵盤楽器の鍵盤装置。
【発明の詳細な説明】
【技術分野】
【０００１】
本発明は、電子ピアノなどの電子鍵盤楽器に適用され、押鍵された鍵で突き上げられることによって回動するハンマーを備えた電子鍵盤楽器の鍵盤装置に関する。
【背景技術】
【０００２】
従来、この種の鍵盤装置として、例えば本出願人がすでに出願した特許文献１に開示したものが知られている。この鍵盤装置は、各々が前後方向に延び、長さ方向の中央付近を支点として揺動自在の複数の鍵と、各々が前後方向に延び、後端部において上下方向に回動自在に支持されるとともに、対応する鍵の後端部に上方から当接する複数のハンマーとを備えている。各鍵は、木材から成り、横断面が矩形状に形成されている。一方、各ハンマーは、前後方向に延びるアーム状に形成され、合成樹脂の成形品で構成されたハンマー本体と、その左右の側面の前端部に取り付けられた金属製の錘板と、ハンマー本体の下面の所定位置に進退自在にねじ込まれ、対応する鍵の後端部に上方から当接するキャプスタンスクリューとを有している。
【０００３】
このように構成された鍵盤装置では、離鍵状態において、各鍵は、下面後端部がクッションに載置された状態で、後ろ下がりに傾斜した状態に保持される一方、各ハンマーは、キャプスタンスクリューを介して、対応する鍵の後端部に載置された状態に保持される。このような状態から、鍵が押鍵されることで、鍵の前端部が下がるとともに後端部が上がるように揺動すると、その鍵に対応するハンマーは、キャプスタンスクリューを介して突き上げられ、上方へ回動する。そして、鍵が押し切られると、ハンマーが上方のハンマーストッパに当接し、上方へのハンマーの回動が終了する。その後、鍵が離鍵されると、その鍵は押鍵時と反対方向に揺動し、それに伴い、ハンマーも下方に回動し、元の離鍵状態に戻る。
【０００４】
上記の鍵盤装置の鍵は、木製であるため、製造上の誤差や、使用環境の乾湿による膨張・収縮により、上下方向の厚さにばらつきが生じやすい。また、上記のような鍵盤装置では一般に、押鍵時におけるハンマーの回動角度を揃えたり、鍵の押下げ量である押鍵ストロークを一定にしたりするために、離鍵状態において、側方から見たときのハンマーの位置（姿勢）が同じであることが求められる。そのため、上記のように、鍵の厚さがばらつき、特に、鍵の後端部の上面高さがばらついている場合には、離鍵状態の全てのハンマーにおいて、それらのハンマーの位置が同じになるよう、キャプスタンスクリューを回し、ハンマー本体からの突出量が調整される。
【先行技術文献】
【特許文献】
【０００５】
【特許文献１】特開２０１３−１２５２３６号公報
【発明の概要】
【発明が解決しようとする課題】
【０００６】
上記のように、従来の鍵盤装置では、その製造時に、ハンマー本体にキャプスタンスクリューをねじ込むように取り付ける必要があり、その取付作業が煩雑である。加えて、鍵の後端部の上面高さに応じて、キャプスタンスクリューの調整が必要であり、その調整作業も煩雑である。
【０００７】
本発明は、以上のような課題を解決するためになされたものであり、鍵の後端部の上下方向の厚さがばらついている場合でも、離鍵状態においてハンマーが当接する鍵の後端部の上面高さを一定にすることができ、それにより、従来のキャプスタンスクリューの調整作業を不要とすることができる電子鍵盤楽器の鍵盤装置を提供することを目的とする。
【課題を解決するための手段】
【０００８】
上記の目的を達成するために、請求項１に係る発明は、各々が前後方向に延び、前後方向の中央付近を支点として揺動自在に構成され、左右方向に並んだ状態に配置された木製の複数の鍵と、これらの鍵の後ろ側に配置されたハンマーサポートと、各々が前後方向に延び、後端部においてハンマーサポートに上下方向に回動自在に支持され、下面から下方に突出した突出部が、対応する鍵の後端部に当接する複数のハンマーと、複数の鍵の各々の後端部に取り付けられ、離鍵状態において、対応するハンマーの突出部が当接し、突出部の当接高さを所定高さに規定する合成樹脂製の複数のハンマー当接高さ規定部と、を備えていることを特徴とする。
【０００９】
この構成によれば、各々が前後方向に延び、前後方向の中央付近を支点として揺動自在の複数の鍵が左右方向に並んだ状態に配置されている。また、各々が前後方向に延びる複数のハンマーは、後端部においてハンマーサポートに上下方向に回動自在に支持されるとともに、下面から下方に突出する突出部が、対応する鍵の後端部に取り付けられた合成樹脂製のハンマー当接高さ規定部に当接する。この状態において、鍵が押鍵されると、ハンマーは、突出部を介して突き上げられ、後端部を中心として上方に回動する。各鍵は木製であるため、その製造上の誤差や、乾湿による膨張・収縮により、上下方向の厚さにばらつきが生じやすいものの、鍵の後端部に、精度良く製造できかつ乾湿の影響をほとんど受けない合成樹脂製のハンマー当接高さ規定部を取り付けることにより、ハンマーの突出部が当接する、鍵の後端部における上面高さを一定にすることができる。これにより、従来と異なり、ハンマーの突出部を調整する必要がなくなる。したがって、ハンマーの突出部が、仮にキャプスタンスクリューであっても、その調整作業を不要とすることができる。
【００１０】
請求項２に係る発明は、請求項１に記載の電子鍵盤楽器の鍵盤装置において、複数の鍵に応じて、左右方向に延びるように配置され、離鍵状態において、複数のハンマー当接高さ規定部が同じ高さに載置される規定部載置部材を、さらに備えていることを特徴とする。
【００１１】
この構成によれば、左右方向に並設された複数の鍵に応じて、規定部載置部材が左右方向に延びるように配置され、離鍵状態において、各鍵の後端部に取り付けられたハンマー当接高さ規定部が、規定部載置部材に載置される。この場合、鍵の後端部の厚さにばらつきが生じている場合でも、離鍵状態におけるハンマー当接高さ規定部の上面高さは、ハンマー当接高さ規定部が規定部載置部材に載置されているときの状態で決まる。したがって、鍵の後端部にハンマー当接高さ規定部が取り付けられることにより、鍵の後端部の厚さのばらつきを吸収しながら、全てのハンマー当接高さ規定部の上面高さを一定にすることができる。
【００１２】
請求項３に係る発明は、請求項２に記載の電子鍵盤楽器の鍵盤装置において、ハンマー当接高さ規定部は、鍵の上面に固定されるとともに、ハンマーの突出部が当接する上片と、この上片の後端部に連なって下方に延び、鍵の後面に固定される後片と、を有していることを特徴とする。
【００１３】
この構成によれば、ハンマー当接高さ規定部の上片及び後片がそれぞれ、鍵の後端部の上面及び後面に固定されるので、鍵の後端部の上下方向の厚さが乾湿などによって変化しても、その変化に伴う外力がハンマー当接高さ規定部に作用することを回避することができる。
【００１４】
請求項４に係る発明は、請求項３に記載の電子鍵盤楽器の鍵盤装置において、ハンマー当接高さ規定部は、上片及び後片の側面に連なり、鍵の側面に密着する側壁を、さらに有していることを特徴とする。
【００１５】
この構成によれば、ハンマー当接高さ規定部を、その上片、後片及び側面がそれぞれ、鍵の後端部の上面、後面及び側面に密着した状態で、鍵に取り付けることにより、鍵に対し、精度良く取り付けることができる。
【００１６】
請求項５に係る発明は、請求項３又は４に記載の電子鍵盤楽器の鍵盤装置において、ハンマー当接高さ規定部は、後片の下端部から前方に延び、鍵の下面に当接する下片を、さらに有していることを特徴とする。
【００１７】
この構成によれば、ハンマー当接高さ規定部の鍵への取付作業を行う際に、ハンマー当接高さ規定部の上片及び下片によって、鍵の後端部を上下から挟むようにして、その取付作業を効率良く行うことができる。
【００１８】
請求項６に係る発明は、請求項３ないし５のいずれかに記載の電子鍵盤楽器の鍵盤装置において、ハンマー当接高さ規定部は、上片及び後片がそれぞれ、固定金具を介して、鍵に固定されていることを特徴とする。
【００１９】
この構成によれば、ハンマー当接高さ規定部の上片及び後片がそれぞれ、鍵の後端部の上面及び後面に、固定金具を介して強固に固定されている。これにより、押鍵に伴うハンマーの突き上げにより、ハンマー当接高さ規定部にハンマーからの反力が繰り返し作用しても、ハンマー当接高さ規定部が鍵に対してずれることがなく、離鍵状態におけるハンマーの突出部の鍵の当接高さを精度良く、確保することができる。
【図面の簡単な説明】
【００２０】
【図１】本発明の一実施形態による鍵盤装置を適用した電子ピアノの鍵盤装置の一部（１オクターブ分）を示す斜視図である。
【図２】図１の鍵盤装置を示す側面図である。
【図３】フロントピン及び筬前の一部を示す斜視図である。
【図４】筬前の一部を底面側から見たときの状態を示す斜視図であり、（ａ）は２つの筬前成形品を連結した状態、（ｂ）は２つの筬前成形品を連結する前の状態を示す。
【図５】２つの筬前成形品が連結した状態において、乾湿による収縮に伴うピン孔間の変位を説明するための模式図であり、（ａ）〜（ｃ）は本実施形態に用いた筬前成形品を示しており、（ｄ）〜（ｆ）は比較例の筬前成形品を示している。
【図６】白鍵及び黒鍵の一例を示す斜視図である。
【図７】鍵の後端部に取り付けられるハンマー当接高さ規定部を示す斜視図である。
【図８】図７のハンマー当接高さ規定部を示す図であり、（ａ）は右側面図、（ｂ）は左側面図である。
【図９】ハンマーサポートを示す斜視図であり、（ａ）は１オクターブ分のハンマーサポートの全体を示し、（ｂ）はその一部を切り欠いた状態を示すとともに、ハンマー支点軸の断面を拡大して示す。
【図１０】ハンマーサポートを示す図であり、（ａ）は平面図、（ｂ）は正面図である。
【図１１】白鍵用ハンマー及び黒鍵用ハンマーを示す斜視図である。
【図１２】ハンマー及びその当接凸部に取り付けられる凸部カバーを説明するための図であり、（ａ）はハンマーの側面図、（ｂ）は当接凸部及び凸部カバーを中心とするハンマーの一部を縦に切断した断面図であり、（ｃ）は凸部カバーを示す斜視図である。
【図１３】離鍵状態におけるハンマーの姿勢を説明するための図であり、（ａ）は黒鍵用ハンマー、（ｂ）は白鍵用ハンマーを示し、（ｃ）は黒鍵用及び白鍵用ハンマーの後端部の係合部を拡大して示している。
【図１４】ハンマーサポートからのハンマーの取り外しを説明するための図であり、（ａ）は黒鍵用ハンマー、（ｂ）は白鍵用ハンマーを示している。
【発明を実施するための形態】
【００２１】
以下、図面を参照しながら、本発明の好ましい実施形態を詳細に説明する。図１及び図２は、本発明の一実施形態による鍵盤装置を適用した電子ピアノの鍵盤装置の一部を、離鍵状態において示している。両図に示すように、この鍵盤装置１は、電子ピアノの左右方向に並んだ多数の鍵２（図１では８つの白鍵２ａ、５つの黒鍵２ｂを図示）と、これらの鍵２を支持する鍵盤シャーシ３と、この鍵盤シャーシ３の後端部に連結されたハンマーサポート４と、鍵２ごとに設けられ、押鍵された鍵２に連動して回動する多数のハンマー５（図１では、８つの白鍵用ハンマー５ａ、５つの黒鍵用ハンマー５ｂを図示）と、ハンマー５ごとに設けられ、鍵２の押鍵時にレットオフ感を付与するための多数のレットオフ部品６（図２において１つのみ図示）と、鍵２の押鍵情報を検出するための鍵スイッチ７などで構成されている。
【００２２】
鍵盤シャーシ３は、左右方向に延びる前レール９ａ、中レール９ｂ及び後レール９ｃから成る３本の支持レール９と、前後方向に延びる複数の補強用のリブ１０とを、井桁状に組み立てたものであり、棚板（図示せず）上に固定されている。これらの支持レール９及びリブ１０はいずれも、プレスによる打抜き及び折曲げ加工によって所定の形状に形成された金属板で構成されている。
【００２３】
前レール９ａの下面及び中レール９ｂの上面にはそれぞれ、筬前１１及び筬中１２が固定されている。筬前１１及び筬中１２は、合成樹脂（例えばＡＢＳ樹脂）から成る肉厚の板状のものであり、前レール９ａ及び中レール９ｂの全体にわたって左右方向に延びている。筬中１２には、白鍵２ａ及び黒鍵２ｂに対応する前後の位置に、多数のバランスピン１３（図１では８つの白鍵用バランスピン１３ａ、５つの黒鍵用バランスピン１３ｂを図示）が、左右方向に並んだ状態で立設されている。また、筬前１１には、多数のフロントピン１４が、左右方向に並んだ状態で立設されている。
【００２４】
図３は、フロントピン１４が立設された筬前１１の一部を示している。同図に示すように、筬前１１は、左右方向に延びる複数（例えば２〜５つ）の成形品（以下「筬前成形品」という）１５を、互いに左右方向に連結することによって構成されている。各筬前成形品１５には、その長さ方向に沿って、フロントピン１４の下端部が嵌入される多数のピン孔１５ａが形成されるとともに、筬前成形品１５自体を前レール９ａにねじ止めするための複数の取付け孔１５ｂが形成されている。これらの取付け孔１５ｂはいずれも、筬前成形品１５の長さ方向（左右方向）に延びる長孔状に形成されている。また、互いに隣接する筬前成形品１５、１５は、次のように連結されている。
【００２５】
図４は、２つの筬前成形品１５、１５の連結部分を底面側から見たときの状態を示しており、（ａ）は連結した状態、（ｂ）は連結前の状態を示している。両図に示すように、各筬前成形品１５の底面には、多数の前記ピン孔１５ａにそれぞれ対応して、下方（図４では上方）に突出しかつ所定の径を有する凸状の多数のボス１６が形成されている。また、一方（図４（ｂ）の右側）の筬前成形品１５の端部（左端部）には、他方（図４（ｂ）の左側）の筬前成形品１５の端部（右端部）のボス１６に嵌合する嵌合孔１７が形成されている。
【００２６】
上記のように、合成樹脂製の複数の筬前成形品１５が互いに連結されることによって構成された筬前１１では、電子ピアノの使用環境の温度変化などによって、筬前１１が長さ方向（左右方向）に伸縮することがある。この場合、合成樹脂製の筬前１１は、金属製の前レール９ａよりも変化量が大きく、また、上述した筬前成形品１５の連結構造によって、以下のように、互いに隣接する筬前成形品１５、１５のピン孔１５ａ、１５ａ間の距離の変化を抑制することができる。
【００２７】
図５（ａ）〜（ｃ）は、本実施形態における筬前成形品１５Ａ、１５Ｂが互いに連結し、前レール９ａにねじ止めされた状態において、収縮するときの状態を模式的に示している。同図（ａ）に示す２つの筬前成形品１５Ａ、１５Ｂは、前述したように、左側の筬前成形品１５Ａの右端のボス１６を、右側の筬前成形品１５Ｂの嵌合孔１７に嵌合させた状態で連結される（同図（ｂ））。この状態において、筬前成形品１５Ａ及び１５Ｂが収縮すると、それらのピン孔１５ａ、１５ａ間の距離αは、若干縮まるものの、ほぼ同程度の距離βとなる（同図（ｃ））。
【００２８】
一方、図５（ｄ）〜（ｆ）は、比較例における筬前成形品１５Ｃ、１５Ｄが互いに当接し、前レール９ａにねじ止めされた状態において、収縮するときの状態を模式的に示している。同図（ｄ）に示す２つの筬前成形品１５Ｃ、１５Ｄは、互いに対向する面が当接している（同図（ｅ））。この場合、両筬前成形品１５Ｃ、１５Ｄの互いに最も近いピン孔１５ａ、１５ａ間は、他のピン孔１５同士の間の距離と同様、距離αに設定されている。この状態において、筬前成形品１５Ｃ及び１５Ｄが収縮すると、それぞれの筬前成形品１５Ｃ、１５Ｄにおけるピン孔１５同士の間は、前述した本実施形態の筬前成形品１５Ａ、１５Ｂと同様、距離βとなる。しかし、筬前成形品１５Ｃ、１５Ｄの互いに最も近いピン孔１５ａ、１５ａ間は、距離α、βよりも大きい距離γ（＞α、β）となる。この場合には、筬前成形品１５Ｃ、１５Ｄの端部のフロントピン１４にそれぞれ係合し、互いに隣り合う２つの鍵２、２の間に、他の鍵２同士よりも大きな隙間が生じてしまう。
【００２９】
以上のように、本実施形態における筬前成形品１５Ａ、１５Ｂの連結構造では、比較例における筬前成形品１５Ｃ、１５Ｄと異なり、筬前１１が収縮した場合でも、ピン孔１５ａ、１５ａ同士の距離βを、収縮前とほぼ同程度の距離αに保つことができる。これにより、比較例の筬前成形品１５Ｃ、１５Ｄを用いた場合の上述した不具合、すなわち、互いに隣り合う２つの鍵２、２の間に大きな隙間が生じるという不具合を防止することができる。
【００３０】
図６は、白鍵２ａ及び黒鍵２ｂを示している。同図に示すように、鍵２は、前後方向に延びるとともに矩形状の横断面を有する木製の鍵本体２１と、その前半部の上面及び前面に接着された合成樹脂製の鍵カバー２２とを有している。鍵本体２１の長さ方向の中央付近には、バランスピン孔２３が形成されており、鍵２は、このバランスピン孔２３を介して、筬中１２に立設されたバランスピン１３に揺動自在に支持されている。
【００３１】
なお、各バランスピン孔２３は、鍵本体２１の下面付近にほぼ円形の孔が形成されるとともに、その孔に連なる上部全体が、鍵本体２１の長さ方向に延びる長孔状に形成されている。また、バランスピン孔２３の左右の内面には、鍵２が揺動する際に、バランスピン１３に対して円滑に摺動させるために、フェルトが２３ａが設けられている。なお、鍵本体２１の上面には、バランスピン孔２３の後ろ側にクッション２０が接着されており、このクッション２０により、演奏時やメンテナンス時などに、ハンマー５の前端部が鍵２に直接当たることが防止される。
【００３２】
また、鍵本体２１の前部の所定位置には、下方に開放するフロントピン孔２４（図２参照）が形成されており、このフロントピン孔２４が、筬前１１に立設されたフロントピン１４に係合することによって、鍵２が揺動する際の左右方向のぶれが防止される。
【００３３】
さらに、図６に示すように、白鍵２ａ及び黒鍵２ｂの後端部には、離鍵状態におけるハンマー５の後述する鍵当接部５６の下端が鍵２に当接する高さを所定高さに規定するためのハンマー当接高さ規定部２５が取り付けられている。このハンマー当接高さ規定部２５は、硬質の合成樹脂（例えばＡＢＳ樹脂）から成る所定形状の成形品で構成されている。
【００３４】
具体的には、図７及び図８に示すように、ハンマー当接高さ規定部２５は、前後方向に所定長さ延びる上片３１と、この上片３１の後端部に連なり下方に延びる後片３２と、この後片３２の下端部に連なり前方に所定長さ延びる下片３３とにより、側面形状がコ字状に形成されている。また、ハンマー当接高さ規定部２５の左側面には、上片３１及び後片３２に連なる側壁３４が設けられている。
【００３５】
上片３１は、その前半部を構成するとともに、上片３１自体を鍵２の上面後端部に固定するための上片固定部３１ａと、上片３１の後半部を構成するとともに、上面が平坦に形成され、ハンマー５の鍵当接部５６を下方から支持した状態で受けるハンマー受け部３１ｂとを有している。上片固定部３１ａの大部分は、ハンマー受け部３１ｂよりも厚さが薄く形成されており、コ字状の固定金具３５が上片固定部３１ａに外側から打ち込まれることによって、上片３１が鍵２の上面後端部に固定されている。
【００３６】
後片３２は、上片３１のハンマー受け部３１ｂに連なり、後方に凸状に形成された後片上部３２ａと、この後片上部３２ａに連なって下方に延び、厚さが薄く形成された後片固定部３２ｂと、この後片固定部３２ｂの下端部に連なり、後方に凸状に形成された後片下部３２ｃとを有している。このように構成された後片３２は、コ字状の固定金具３６が後片固定部３２ｂに外側から打ち込まれることによって、鍵２の後端面に固定されている。
【００３７】
下片３３は、後片３２の下端部から前方に斜め上がりに延びており、その上面前端部に、鍵２の下面後端部に当接する下片凸部３３ａが設けられている。また、下片３３は、後片３２との接続部分を支点として上下方向に撓むことが可能なばね性を有している。
【００３８】
側壁３４は、図８（ａ）に示すように、上片３１の下面左端部及び後片３２の前面左端部に連なるとともに内方に突出し、側面形状がＬ字状に形成されている。なお、ハンマー当接高さ規定部２５では、成形時の樹脂量の少量化及び成形品の軽量化を図るとともに、成形時のヒケや変形を防止するために、上片３１のハンマー受け部３１ｂ、並びに後片３２の後片上部３２ａ及び後片下部３２ｃに適宜、右方に開放する空洞が形成されている。
【００３９】
以上のように構成されたハンマー当接高さ規定部２５は、上片３１の下面、後片３２の前面及び側壁３４の三面がそれぞれ、鍵２の後端部における上面、後端面及び左側面の三面にぴったりと接するとともに、下片３３の下片凸部３３ａが鍵２の下面後端部に当接した状態で、鍵２の後端部に取り付けられている。なお、各鍵２へのハンマー当接高さ規定部２５の取付けの際には、ハンマー当接高さ規定部２５の上記三面に接着剤を塗布し、ハンマー当接高さ規定部２５を鍵２の後端部に仮止めした状態で、２つの固定金具３５、３６をそれぞれ、鍵２の上方及び後方から打ち込むことによって、ハンマー当接高さ規定部２５が鍵２に強固に固定される。
【００４０】
ハンマー当接高さ規定部２５が取り付けられた鍵２は、図２に示すように、離鍵状態において、ハンマー当接高さ規定部２５の後片下部３２ｃが、後レール９ｃ上に固定されたクッション３８（規定部載置部材）に載置される。これにより、離鍵状態における全ての鍵２では、ハンマー当接高さ規定部２５のハンマー受け部３１ｂの高さが同じ高さになる。
【００４１】
図９及び図１０は、ハンマーサポート４を示している。同図に示すように、ハンマーサポート４は、合成樹脂で構成され、例えば１オクターブ分の複数の成形品を互いに左右方向に連結したものであり、全てのハンマー５にわたるように左右方向に延びるとともに、鍵盤シャーシ３の後レール９ｃにねじ止めされている。ハンマーサポート４は、後レール９ｃ付近から直立するハンマー支持部４１と、その上端部から前方に斜め上がりに延びるスイッチ取付部４２などで構成されている。ハンマー支持部４１の上端部には、各ハンマー５を回動自在に支持するためのハンマー支点軸４３が設けられている。
【００４２】
また、ハンマーサポート４は、互いに左右方向に所定間隔を隔てた状態で、隣り合うハンマー５を仕切る複数の仕切壁４４を有しており、隣り合う仕切壁４４、４４の間に、前記ハンマー支点軸４３が左右方向に延びている。このハンマー支点軸４３は、図９（ｂ）に示すように、ハンマー支点軸４３の軸心を中心とする円の前後２カ所を切り欠いた、いわゆる小判形の断面形状を有している。
【００４３】
具体的には、このハンマー支点軸４３の外周面は、上下一対の曲面部４３ａ、４３ａと、これらの曲面部４３ａ、４３ａの間に延びる前後一対の平面部４３ｂ、４３ｂとで構成されている。このように構成されたハンマー支点軸４３では、上下の曲面部４３ａ、４３ａが、長さＬ１の直径を有する円弧に設定される一方、前後の平面部４３ｂ、４３ｂ間が、上記の長さＬ１よりも短い長さＬ２に設定されている。
【００４４】
図１１は、白鍵用及び黒鍵用のハンマー５（５ａ及び５ｂ）を示している。同図に示すように、白鍵用ハンマー５ａ及び黒鍵用ハンマー５ｂは、全体としてほぼ同様に構成されており、以下の説明では、白鍵用のハンマー５（５ａ）を代表して説明するものとする。
【００４５】
図１１及び１２（ａ）に示すように、ハンマー５は、前後方向に延びるアーム状のハンマー本体５１と、その左右の側面の前端部に、リベット５０を介して取り付けられた２つの錘板５２、５２とを有している。ハンマー本体５１は硬質の合成樹脂で構成され、錘板５２は、比重が比較的大きな鉄などの金属材料で構成されている。なお、白鍵用及び黒鍵用のハンマー本体５１の側面にはそれぞれ、「Ｗ」及び「Ｂ」の刻印が付されている。
【００４６】
ハンマー本体５１の後端部には、ハンマーサポート４のハンマー支点軸４３に係合する係合部５３が設けられている。この係合部５３には、側面形状がＣ字状に形成された円弧状の軸穴５４が形成されており、その開口部に、外方に向かって広がるように形成された前後のガイド面５５、５５が設けられている。軸穴５４は、ハンマー支点軸４３の上下の曲面部４３ａ、４３ａによる直径（長さＬ１）よりも若干大きな直径を有するとともに、開口部の幅Ｌ３が、ハンマー支点軸４３の前後の平面部４３ｂ、４３ｂ間の長さＬ２よりも若干大きくかつ上記の長さＬ１よりも小さくなっている。そして、ハンマー５は、軸穴５４の開口部を介して、ハンマーサポート４のハンマー支点軸４３に対して着脱可能になっており、軸穴５４がハンマー支点軸４３に嵌合することによって、ハンマーサポート４に回動自在に支持されている。
【００４７】
また、図１２（ａ）に示すように、ハンマー５の底面後部の所定位置には、下方に突出し、鍵２の前述したハンマー当接高さ規定部２５に上方から当接する鍵当接部５６（突出部）が設けられている。この鍵当接部５６は、ハンマー５のハンマー本体５１と一体に成形された当接凸部５７と、この当接凸部５７を覆った状態に、ハンマー本体５１に取り付けられた凸部カバー５８とで構成されている。
【００４８】
図１２（ｂ）に示すように、鍵当接部５６の当接凸部５７は、下方に突出し、下面が円弧状に形成されている。また、ハンマー本体５１には、当接凸部５７の前側上部に、凸部カバー５８の後述するフック６２が係合するフック受け部５９が形成されている。フック受け部５９は、下方に開放する凹状に形成されており、その上端部に係止凹部５９ａを有している。
【００４９】
一方、凸部カバー５８は、所定の弾性材料（例えばエラストマー）から成り、所定形状の成形品で構成されている。具体的には、図１２（ｂ）及び（ｃ）に示すように、凸部カバー５８は、上方に開放し、上記当接凸部５７を覆った状態で収容するカバー本体６１と、このカバー本体６１の前端部から上方に延び、ハンマー本体５１のフック受け部５９に係合するフック６２とを有している。カバー本体６１は、ハンマー本体５１の当接凸部５７と同様、底面が円弧状に形成されている。また、フック６２の上端部には、爪部６２ａが設けられており、この爪部６２ａがフック受け部５９の係止凹部５９ａに係止されることにより、凸部カバー５８は、当接凸部５７に装着された状態で、ハンマー本体５１にしっかりと取り付けられる。
【００５０】
なお、凸部カバー５８の底面には、互いに平行に延び、下方に開放する２つの溝６１ａ、６１ａが形成されている（図１２（ｃ）参照）。これらの溝６１ａは、凸部カバー５８の底面に塗布された粘性の低い潤滑油を長期間にわたって保留するためのものであり、この潤滑油により、鍵当接部５６と、ハンマー当接高さ規定部２５のハンマー受け部３１ｂとの間の摩擦を大幅に低減し、両者５６、３１ｂの間の滑性が高められている。
【００５１】
また、ハンマー５には、その軸穴５４とハンマーサポート４のハンマー支点軸４３との間に、グリスなど、粘性が比較的高い潤滑剤が塗布されている。それにより、ハンマー５が回動する際のがたつきやノイズの発生を防止しながら、ハンマー５の円滑な回動が確保されるようになっている。
【００５２】
しかし、電子ピアノの使用環境などにより、上記の潤滑剤が、ハンマー５の軸穴５４とハンマー支点軸４３との間から流出することがある。この流出した潤滑剤が、ハンマー５の側面を伝って、軸穴５４の前方の鍵当接部５６に付着すると、すなわち、潤滑油があらかじめ塗布されている鍵当接部５６に、上記の流出した潤滑剤が付着すると、それらの潤滑油及び潤滑剤の特性変化により、ハンマー５側の鍵当接部５６と、鍵２側のハンマー当接高さ規定部２５（ハンマー受け部３１ｂ）との間の摩擦が変化し、その結果、押鍵時におけるハンマー５の回動特性が変化してしまう。このような不具合を回避するために、ハンマー本体５１の左右の側面には、後端部の係合部５３の直ぐ前側にかつ鍵当接部５６の後ろ側に、左右対称の２つの潤滑剤阻止部６５（図１１、１２（ａ）では、右側のもののみ図示）が設けられている。各潤滑剤阻止部６５は、係合部５３を囲う円弧状に、かつハンマー本体５１の側方に開放する凹状に形成されている。
【００５３】
このように、ハンマー本体５１の左右の側面に、潤滑剤阻止部６５が形成されることにより、係合部５３側からの潤滑剤がハンマー本体５１の側面を伝って流れる場合であっても、その潤滑剤が凹状の潤滑剤阻止部６５を越えるのを効果的に防止することができる。
【００５４】
また、図１１及び図１２（ａ）に示すように、ハンマー本体５１には、後端部の係合部５３の前側上部に、押鍵時に鍵スイッチ７を押圧することによって作動させるためのアクチュエータ部６６が設けられている。さらに、ハンマー本体５１には、その上面の前後方向の中央付近に、押鍵時にレットオフ部品６に係合する板状の係合突起６７が設けられている。
【００５５】
図２に示すように、レットオフ部品６は、所定の弾性材料の成形品で構成されており、ハンマーサポート４のスイッチ取付部４２に取り付けられている。レットオフ部品６は、スイッチ取付部４２から斜め後ろ下がりに延びており、その先端部には、くびれ部を介して頭部６ａが形成されている。この頭部６ａは、離鍵状態において、ハンマー５の係合突起６７に対向している。
【００５６】
また、図１及び図２に示すように、鍵スイッチ７は、プリント基板から成るスイッチ基板７ａと、このスイッチ基板７ａの下面に、鍵２ごとに設けられたゴムスイッチから成るスイッチ本体７ｂで構成されている。スイッチ基板７ａは、その後端部がハンマーサポート４のスイッチ取付部４２に差し込まれるとともに、中央部がスイッチ取付部４２にねじ止めされている。また、スイッチ本体７ｂは、離鍵状態において、ハンマー５のアクチュエータ部６６に隙間を隔てて対向している。
【００５７】
さらに、図１及び図２に示すように、ハンマーサポート４のスイッチ取付部４２には、前端部の底面に、ハンマー５の上方への回動を規制するハンマーストッパ６８が設けられている。このハンマーストッパ６８は、発泡ウレタンなどで構成されており、左右方向に延びるように、スイッチ取付部４２に取り付けられている。
【００５８】
ここで、上述した鍵盤装置１における白鍵用ハンマー５ａと、黒鍵用ハンマー５ｂとの相違点について、図１３及び図１４を参照して説明する。図１３（ａ）及び（ｂ）はそれぞれ、離鍵状態における黒鍵用ハンマー５ｂ及び白鍵用ハンマー５ａを示している。両図に示すように、離鍵状態では、ハンマー５の鍵当接部５６の下端と、ハンマー５の前端部の錘板５２の上端との間は、黒鍵用ハンマー５ｂの高さＨ１が、白鍵用ハンマー５ａの高さＨ２よりも所定高さ、高くなっている。これにより、鍵２の押鍵に伴って回動し、ハンマーストッパ６８に当接するハンマー５では、黒鍵用ハンマー５ｂの回動角度が、白鍵用ハンマー５ａのそれよりも小さくなり、その結果、黒鍵２ｂの押鍵ストローク（例えば９ｍｍ）が、白鍵２ａの押鍵ストローク（例えば１０ｍｍ）よりも短くなる。
【００５９】
また、図１３（ｃ）は、ハンマーサポート４のハンマー支点軸４３と、離鍵状態において、ハンマー支点軸４３に係合する黒鍵用ハンマー５ｂ（実線）及び白鍵用ハンマー５ａ（２点鎖線）の後端部における係合部５３を拡大して示している。同図に示すように、白鍵用ハンマー５ａの軸穴５４の開口部において、互いに外方に向かって広がるように形成された前後のガイド面５５ａ、５５ａは、黒鍵用ハンマー５ｂのガイド面５５ｂ、５５ｂに対し、同図の時計方向に若干傾斜した状態に形成されている。このようなガイド面５５の差異により、メンテナンス時などにおけるハンマーサポート４からのハンマー５の取外し角度が、黒鍵用ハンマー５ｂと白鍵用ハンマー５ａとで以下のように異なっている。なお、ハンマー５を取り外す際には、対応する鍵２を鍵盤シャーシ３から取り外した状態で行われる。
【００６０】
図１４（ａ）及び（ｂ）はそれぞれ、黒鍵用ハンマー５ｂ及び白鍵用ハンマー５ａをハンマーサポート４のハンマー支点軸４３から取り外す際の状態を示している。なお、同図に２点鎖線で示す黒鍵用ハンマー５ｂ及び白鍵用ハンマー５ａは、離鍵状態における位置を示している。図１４（ａ）に示すように、黒鍵用ハンマー５ｂは、離鍵状態の位置から前端部が黒鍵用バランスピン１３ｂの上端付近に到達するように回動したときに、後端部の係合部５３における前側のガイド面５５ｂが、ハンマー支点軸４３の前側の平面部４３ｂと平行な状態（鉛直）になり、黒鍵用ハンマー５ｂの軸穴５４とハンマーサポート４のハンマー支点軸４３の上側の曲面部４３ａとの接触が解除される。それにより、黒鍵用ハンマー５ｂは、ハンマー支点軸４３から取り外し可能になる。
【００６１】
一方、図１４（ｂ）に示すように、白鍵用ハンマー５ａに対応する白鍵２ａを支持する白鍵用バランスピン１３ａは、黒鍵用バランスピン１３ｂよりも前方に位置している。このため、白鍵用ハンマー５ａは、黒鍵用バランスピン１３ｂの上端より下方に大きく回動しても、白鍵用バランスピン１３ａに干渉することはない。また、前述したように、白鍵用ハンマー５ａの後端部のガイド面５５ａと、黒鍵用ハンマー５ｂのガイド面５５ｂとの差異により、白鍵用ハンマー５ａは、黒鍵用ハンマー５ｂよりも下方に大きく回動したときに、後端部の前側のガイド面５５ａが、ハンマー支点軸４３の前側の平面部４３ｂと平行な状態（鉛直）になり、前述した黒鍵用ハンマー５ｂと同様、白鍵用ハンマー５ａが、ハンマー支点軸４３から取り外し可能になる。
【００６２】
以上のように、白鍵用ハンマー５ａは、黒鍵用ハンマー５ｂに比べて、下方に大きく回動した状態で、ハンマー支点軸４３から取り外し可能になる。換言すると、白鍵用ハンマー５ａは、黒鍵用ハンマー５ｂに比べて、ハンマー支点軸４３に対し、後端部の係合部５３が大きい角度範囲で、取り外し不能な状態に係合している。このため、離鍵状態において、白鍵用ハンマー５ａは、その前端部の高さが、黒鍵用ハンマー５ｂのそれに比べて低いものの、黒鍵用ハンマー５ｂと同様、ハンマー支点軸４３にしっかりと係合するので、回動する際のがたつきやノイズの発生を効果的に防止することができる。加えて、白鍵用ハンマー５ａの設計の自由度を高めることもできる。
【００６３】
次に、以上のように構成された鍵盤装置１の動作について説明する。図１及び図２に示す離鍵状態から鍵２が押鍵されると、鍵２は、バランスピン１３を中心として、図２の反時計方向に回動し、それに伴い、ハンマー５は、鍵当接部５６を介して押し上げられ、ハンマー支点軸４３を中心として、上方（図２の時計方向）に回動する。
【００６４】
このハンマー５の回動の途中で、その係合突起６７が、レットオフ部品６の頭部６ａに係合し、頭部６ａを介してレットオフ部品６を圧縮させながら押圧することにより、レットオフ部品６からハンマー５に作用する反力が増大する。ハンマー５の回動が進むと、係合突起６７が頭部６ａから外れることで、レットオフ部品６からの反力が急激に消失する。このようなレットオフ部品６の反力の増大と消失によって、アコースティックピアノに近似したレットオフ感が得られる。
【００６５】
その後、ハンマー５の前端部が、上方のハンマーストッパ６８に当接することによって、ハンマー５の上方への回動が終了する。また、ハンマー５の上方への回動の間、そのアクチュエータ部６６が鍵スイッチ７のスイッチ本体７ｂを押圧し、鍵スイッチ７をＯＮすることによって、ハンマー５の回動量に応じた鍵２の押鍵情報が検出され、発音制御装置（図示せず）に出力される。そして、この発音制御装置により、検出された押鍵情報に基づいて、電子ピアノの発音が制御される。
【００６６】
その後、鍵２が離鍵されると、鍵２は押鍵時と反対方向に回動し、図１及び図２に示す離鍵状態に復帰し、それに伴い、ハンマー５も、下方に回動し、離鍵状態に復帰する。
【００６７】
以上詳述したように、本実施形態によれば、鍵２の後端部に、合成樹脂製のハンマー当接高さ規定部２５が設けられ、離鍵状態において、ハンマー５は、下方に突出する鍵当接部５６を介してハンマー当接高さ規定部２５のハンマー受け部３１ｂに上方から当接した状態で載置される。この場合、上記のハンマー当接高さ規定部２５により、ハンマー受け部３１ｂの高さが常に同じ高さになるので、ハンマー５には、従来と異なり、キャプスタンスクリューが不要になる。したがって、本実施形態では、従来のキャプスタンスクリューを省略できることで、その取付け及び調整作業を不要することができ、その分、電子ピアノの製造コストの低減を図ることができる。
【００６８】
また、離鍵状態において、全ての鍵２のハンマー当接高さ規定部２５は、その後片下部３２ｃが、後レール９ｃ上のクッション３８に載置されている。この場合、鍵２の後端部の上下方向の厚さにばらつきが生じている場合でも、離鍵状態におけるハンマー当接高さ規定部２５のハンマー受け部３１ｂの高さは、ハンマー当接高さ規定部２５がクッション３８に載置されているときの状態で決まる。したがって、全ての鍵２の後端部にハンマー当接高さ規定部２５が設けられることにより、鍵２の後端部の厚さのばらつきを吸収しながら、全てのハンマー当接高さ規定部２５のハンマー受け部３１ｂの高さを、一定の所定高さにすることができる。
【００６９】
また、ハンマー５では、ハンマー本体５１の当接凸部５７に、弾性材料から成る凸部カバー５８が取り付けられることによって、鍵当接部５６が構成されているので、押鍵時に、ハンマー５の鍵当接部５６が、ハンマー当接高さ規定部２５のハンマー受け部３１ｂから一旦離れた後に再度当接したり、ハンマー受け部３１ｂに対して摺動したりしても、それらの際のノイズの発生を十分に抑制することができる。また、凸部カバー５８は、フック６２を介して、ハンマー本体５１にしっかりと取り付けられるので、押鍵に伴い、ハンマー５が繰り返し突き上げられても、凸部カバー５８が当接凸部５７から脱落することはない。また、凸部カバー５８をハンマー本体５１から簡単に取り外すことができ、必要に応じて、凸部カバー５８の交換を容易に行うことができる。
【００７０】
さらに、ハンマー本体５１の下方に開放するフック受け部５９は、ハンマー本体５１の当接凸部５７の前側上部に設けられている。これにより、例えば、上記のフック受け部５９が、ハンマー本体５１の当接凸部５７の後ろ側上部、すなわち、ハンマー５の回動支点により一層近い位置に設けられる場合に比べて、押鍵時にハンマー本体５１の当接凸部５７の基部付近に作用する応力を低減することができる。その結果として、押鍵に伴い、ハンマー５が鍵当接部５６を介して繰り返し突き上げられても、ハンマー５（ハンマー本体５１）の損傷を防止することができる。
【００７１】
また、ハンマー５には、ハンマー本体５１の左右の側面に、側方に開放する凹状の潤滑剤阻止部６５が形成されているので、ハンマー５の軸穴５４とハンマーサポート４のハンマー支点軸４３との間に塗布された潤滑剤が、前方の鍵当接部５６に流出するのを阻止することができる。これにより、ハンマー５の鍵当接部５６と、これが当接するハンマー当接高さ規定部２５のハンマー受け部３１ｂとの間の摩擦が変化するのを防止でき、その結果として、押鍵時におけるハンマー５の良好な回動特性を維持することができる。
【００７２】
なお、本発明は、説明した上記実施形態に限定されることなく、種々の態様で実施することができる。例えば、実施形態では、ハンマー本体５１の当接凸部５７に、弾性材料から成る凸部カバー５８を取り付けたが、押鍵時に、当接凸部５７と、ハンマー当接高さ規定部２５のハンマー受け部３１ｂとの間で、ノイズの発生を防止できるとともに十分な滑性を確保できる場合には、凸部カバー５８を省略してもよく、また、ハンマー当接高さ規定部２５のハンマー受け部３１ｂに弾性材料から成る部材を配置してもよい。
【００７３】
また、実施形態で示した鍵盤装置１、鍵２及びハンマー５の細部の構成などは、あくまで例示であり、本発明の趣旨の範囲内で適宜、変更することができる。
【符号の説明】
【００７４】
１    鍵盤装置
２    鍵
２ａ  白鍵
２ｂ  黒鍵
４  ハンマーサポート
５  ハンマー
５ａ  白鍵用ハンマー
５ｂ  黒鍵用ハンマー
２５    ハンマー当接高さ規定部
３１    上片
３１ａ  上片固定部
３１ｂ  ハンマー受け部
３２    後片
３３    下片
３４    側壁
３５    上片固定用の固定金具
３６    後片固定用の固定金具
３８    クッション（規定部載置部材）
４３    ハンマー支点軸
５１    ハンマー本体
５３    係合部
５４    軸穴
５６    鍵当接部（突出部）
【図１】
2018155991.tif 000003
【図２】
2018155991.tif 000004
【図３】
2018155991.tif 000005
【図４】
2018155991.tif 000006
【図５】
2018155991.tif 000007
【図６】
2018155991.tif 000008
【図７】
2018155991.tif 000009
【図８】
2018155991.tif 000010
【図９】
2018155991.tif 000011
【図１０】
2018155991.tif 000012
【図１１】
2018155991.tif 000013
【図１２】
2018155991.tif 000014
【図１３】
2018155991.tif 000015
【図１４】
2018155991.tif 000016